(57)【要約】【課題】施工時の作業性を向上できると共に、モルタル等により形成した勾配底部に割れや破損等が発生することを抑制できる溝路構成装置を提案する。【解決手段】通水溝路１の左右両側に長手方向に沿って対向状に配設された左右一対の側板１１ａ，１１ｂが、該通水溝路１の上端から基底まで延性され、左右一方の下端部に水平内縁部１５が通水溝路１の内側に屈曲形成され、他方の下端部に水平外縁部１６が通水溝路１の外側に屈曲形成されたものであるから、Ｕ字溝等のコンクリート製に比して軽量で取扱い性に優れ、作業効率を向上できる。また、水平内縁部１５と他方の側板１１ｂとの間の下方開口を埋めるモルタル等により一体的に勾配底部３９を形成でき、さらに水平内縁部１５の幅が下方開口幅に比して短いことから、勾配底部３９に割れや破損等が発生することを抑制できる。【選択図】図１
2015063833.tif 000002
【特許請求の範囲】
【請求項１】
通水溝路の左右両側に長手方向に沿って対向状に配設され、該通水溝路の上端から基底まで垂直状に延成されて該通水溝路の左右の側壁を夫々構成する左右の垂直側板部を備えると共に、一方の垂直側板部の下端部から通水溝路の内側に水平状に設けられた水平内縁部と、他方の垂直側板部の下端部から通水溝路の外側に水平状に設けられた水平外縁部とを備え、該水平内縁部および水平外縁部が所定の固定手段を介して基盤に位置固定される左右一対の側板と、
左右の側板の上部に、長手方向に所定間隔をおいて差し渡され、溝蓋を支承する複数の乗載梁と
を備えていることを特徴とする溝路構成装置。
【請求項２】
一方の垂直側板部の下端から通水溝路の内側に水平状に突設された水平内縁部と、他方の垂直側板部の下端から通水溝路の外側に水平状に突設された水平外縁部とを備え、該水平内縁部および水平外縁部が所定の固定手段を介して基盤に位置固定される左右一対の側板
を備えていることを特徴とする請求項１に記載の溝路構成装置。
【請求項３】
一方の垂直側板部の下端部から両側板部間を横断して他方の垂直側板部外側に至るまでの長さとなるように突出した細幅状突縁部を、長手方向に沿って複数設け、該細幅状突縁部の両側板部間の部位を水平内縁部とし、他方の垂直側板部から外側に突出している部位を水平外縁部とし、該水平内縁部および水平外縁部が所定の固定手段を介して基盤に位置固定される左右一対の側板
を備えていることを特徴とする請求項１に記載の溝路構成装置。
【請求項４】
左右の側板の、少なくとも長手方向の両端部で、該側板の下部に差し渡されて固定された保持梁を備えていることを特徴とする請求項１乃至請求項３のいずれか１項に記載の溝路構成装置。
【発明の詳細な説明】
【技術分野】
【０００１】
本発明は、排水溝等の通水溝路を構成するために用いられる溝路構成装置に関する。
【背景技術】
【０００２】
通水溝路は、コンクリート製のＵ字溝により構成されるものが良く知られている。そして、Ｕ字溝上には、溝蓋を支持するための支持枠が設置され、該溝蓋によって通水溝路の上部開口が被覆される（例えば、特許文献１）。
【０００３】
こうしたＵ字溝は、重量物であることから、運搬や施工の際における取扱い性が悪く、作業性を向上できない一因とされる。これに対して、例えば図１１のように、金属製（スチール鋼等）の断面倒コ字形の溝路部材ｂにより通水溝路ａを形成するようにしたものが知られている。かかる金属製の溝路部材ｂには、その上端部に、左右の内面から内側に突出する支持部ｃが夫々形成されており、該支持部ｃに溝蓋ｄが支持される。さらに、溝路部材ｂの下端部には、外側に突出する断面Ｌ字形のアンカー部ｆが複数形成されており、各アンカー部ｆを所定の固定手段（例えば、アンカーボルトｇ）により基盤ｈに固定することにより、溝路部材ｂを位置決め固定する。こうした金属製の溝路部材ｂは、比較的薄肉に形成されることから、上記したコンクリート製のＵ字溝に比して軽量であり、運搬や施工の際における取扱い性に優れ、作業性を向上することができる。
【０００４】
また、Ｕ字溝を用いない別の構成として、溝路用の型枠を用いてコンクリートを打設することにより通水溝路を形成するようにしたものもある。この構成にあっても、Ｕ字溝を用いる構成に比して運搬等の作業性を改善できる。
【先行技術文献】
【特許文献】
【０００５】
【特許文献１】特開２００８−１６３６８４号公報
【発明の概要】
【発明が解決しようとする課題】
【０００６】
ところで、通水溝路には、排水管に向けた水の流れを良くするために、所定の勾配を有する底部（以下、勾配底部）が形成されることもある。こうした勾配底部は、排水管の位置に応じて適宜設計されることから、施工現場でモルタルやコンクリート等により形成される。しかしながら、上記した従来の断面倒コ字形の溝路部材（図１１参照）は、金属製であることから、モルタルやコンクリート等との接着性が低く、前記した勾配底部を形成することが難しい。もし仮に、金属製の溝路部材により構成される通水溝路に、モルタル等によって勾配底部を形成すると、溝路部材と接触する勾配底部の境界縁に罅や割れ等が生じ易く、さらには勾配底部が部分的に破損してしまう虞もある。また、こうした溝路部材は、予め設定された標準サイズのもののみが供給されることから、前記した勾配が予め設けられたものが供給されることは無い。このように、従来の金属製の溝路部材により構成される通水溝路には、勾配底部を形成できないという問題がある。
【０００７】
一方、上記した型枠を用いてコンクリート製の通水溝路を形成する従来構成にあっては、上記した勾配底部を一体的に形成できることから、上記した金属製の溝路部材のような問題を生じ難い。しかし、この場合には、型枠の設置作業や、コンクリートの打設後に該型枠を取り外す作業を用することから、施工作業が繁雑化し、作業性の改善効果に限界がある。
【０００８】
また、通水溝路は溝蓋により被覆されることから、Ｕ字溝による通水溝路や型枠を用いて形成されたコンクリート製の通水溝路の場合には、溝蓋を支持するための上記支持枠が必要である。この支持枠は別部材であることから、Ｕ字溝等の上に位置決めして固定しなければならず、そのための設置作業を必要とする。この設置作業も、施工作業が繁雑化する一因となっている。
【０００９】
本発明は、Ｕ字溝等のコンクリート製のものに比して運搬や施工の際の作業性を向上できると共に、モルタル等により勾配底部を形成した場合にも該勾配底部の割れや破損等が発生することを抑制できる溝路構成装置を提案するものである。
【課題を解決するための手段】
【００１０】
本発明は、通水溝路の左右両側に長手方向に沿って対向状に配設され、該通水溝路の上端から基底まで垂直状に延成されて該通水溝路の左右の側壁を夫々構成する左右の垂直側板部を備えると共に、一方の垂直側板部の下端部から通水溝路の内側に水平状に設けられた水平内縁部と、他方の垂直側板部の下端部から通水溝路の外側に水平状に設けられた水平外縁部とを備え、該水平内縁部および水平外縁部が所定の固定手段を介して基盤に位置固定される左右一対の側板と、左右の側板の上部に、長手方向に所定間隔をおいて差し渡され、溝蓋を支承する複数の乗載梁とを備えていることを特徴とする溝路構成装置である。
【００１１】
ここで、側板としては、スチール鋼やステンレス鋼等の金属製のものが好適に用いられ、垂直側板部はスチール鋼板などの金属薄板からなるものが好適である。乗載梁としては、スチール鋼やステンレス鋼等の金属製のものが好適に用いられる。また、上記の固定手段としては、コンクリート製の基盤に打ち込んで固定するアンカーボルトやビス、さらには前記基盤に設置された鉄筋と水平内縁部および水平外縁部とを直接的または間接的に溶接する手段等が適用できる。また、乗載梁に支承した溝蓋を固定するロック手段を備えた構成が好適に用い得る。
【００１２】
かかる構成によれば、左右一対の側板により通水溝路の側壁を形成できることから、溝底の施工によって通水溝路を形成することができ、該通水溝路の施工作業を効率化できる。通常、施工の際には、通水溝路の両側にコンクリートやモルタル等を打設する作業を行うことから、これと一緒に前記した溝底の施工を行うことができ、上記した従来のＵ字溝や溝路部材を用いる場合とほぼ同レベルの作業性によって施工可能と言える。さらに、側板は、板状であり、上記したＵ字溝に比して薄肉であることから、本発明の溝路構成装置は軽量となるため、運搬や施工の際における取扱い性に優れている。特に、側板が金属薄板からなるものである場合には、上記したＵ字溝に比して極めて軽量となるため、前記取扱い性が大きく向上し、作業効率を改善する効果が極めて高い。
【００１３】
また、通水溝路の内側に設けられた水平内縁部は、これのみで溝底を形成するものでなく、両側の垂直側板部の下端部間における空隙を、部分的に減少させるだけである。そのため、両側の側板間には、比較的大きく下方開口する空隙が存在する。施工の際には、こうした下方開口した空隙を埋める溝底の施工によって、該空隙を介して上記した勾配底部を形成することができる。これにより、勾配底部は、下方開口した空隙を埋めるコンクリートやモルタルによって一体的に形成されることから、しっかりとした堅固なものとなり得る。さらに、水平内縁部は、上述した従来構成の断面倒コ字形の溝路部材に比して、勾配底部との接触面積も小さい。こうしたことから、金属製の溝路構成装置により構成される通水溝路に、モルタル等により勾配底部を容易に形成できると共に、該勾配底部に、金属とモルタル等との低い接着性を要因とする割れや破損等が発生することを可及的に抑制できる。尚、勾配底部は、施工現場で形成することから、該施工現場に応じた勾配を適宜設定して形成できる。
【００１４】
さらに、本発明の構成は、壁やサッシ等の建造障害物の片側に近接する通水溝路に好適に適用できる。こうした通水溝路は、建造障害物との隙間が極めて狭いことから、該隙間でアンカー等の固定手段を用いることができない。しかし、本発明の構成によれば、建造障害物側に、水平内縁部が設けられた一方の垂直側板部を設置することによって、溝路の内側から、該水平内縁部を所定の固定手段により基盤に位置固定する作業を行うことができる。一方、建造障害物と反対側では、溝路の外側から、水平外縁部を固定手段により基盤に位置固定する作業を行うことができる。したがって、本発明の溝路構成装置によれば、建造障害物の片側に近接する通水溝路を形成する場合にあっても、水平内縁部と水平外縁部とを固定手段を介して容易かつ堅固に位置固定することができ、所望の通水溝路を安定して施工できる。
【００１５】
また、本発明の溝路構成装置は、溝蓋を支持する機能を備えており、左右の側壁の間隔（通水溝路の溝幅）と略等しい幅の溝蓋を直接設置できることから、上述したＵ字溝等のように溝蓋の支持枠を別途必要としない。そのため、この支持枠を別途必要とする従来構成に比して、該支持枠に要するコストを削減できる。
【００１６】
上述した本発明の溝路構成装置にあって、一方の垂直側板部の下端から通水溝路の内側に水平状に突設された水平内縁部と、他方の垂直側板部の下端から通水溝路の外側に水平状に突設された水平外縁部とを備え、該水平内縁部および水平外縁部が所定の固定手段を介して基盤に位置固定される左右一対の側板を備えている構成が提案される。
【００１７】
かかる構成は、一方の側板が垂直側板部と水平内縁部とを備え、他方の側板が垂直側板部と水平外縁部とを備えた構成であり、本構成によれば、上述した本発明の作用効果が適正に発揮され得る。
【００１８】
ここで、水平内縁部としては、長手方向に亘って垂直側板部の下端から突設された構成や、長手方向で複数突設された構成が好適に用いられる。さらに、こうした水平内縁部は、短尺状に突設されて、左右方向の幅が比較的短い構成が好適である。又は、水平内縁部は、長手方向の幅が比較的細い板状とした構成が好適である。これら構成によれば、両側の垂直側板部間で下方開口する空隙が可及的に大きくなると共に、水平内縁部と勾配底部との接触面積も小さくなることから、該勾配底部での割れや破損等の発生を抑制する効果が向上する。尚、水平外縁部にあっても同様の構成が好適である。
【００１９】
上述した本発明の溝路構成装置にあって、一方の垂直側板部の下端部から両側板部間を横断して他方の垂直側板部外側に至るまでの長さとなるように突出した細幅状突縁部を、長手方向に沿って複数設け、該細幅状突縁部の両側板部間の部位を水平内縁部とし、他方の垂直側板部から外側に突出している部位を水平外縁部とし、該水平内縁部および水平外縁部が所定の固定手段を介して基盤に位置固定される左右一対の側板を備えている構成が提案される。
【００２０】
かかる構成にあって、水平内縁部は細幅状突縁部により構成されていることから、両側の垂直側板部間には、比較的大きく下方開口する空隙が複数に分かれて存在する。そして、各水平内縁部と勾配底部との接触面積が小さくなることから、該勾配底部での割れや破損等の発生を抑制する効果が向上する。
【００２１】
上述した本発明の溝路構成装置にあって、左右の側板の、少なくとも長手方向の両端部で、該側板の下部に差し渡されて固定された保持梁を備えている構成が提案される。
【００２２】
かかる構成によれば、乗載梁により定まる左右の側板の間隔を、保持梁により保持でき、側板の上部と下部とで該間隔を安定して保持することができる。これにより、運搬や施工の際にも左右の側板の間隔を保持でき、該間隔の変化を可及的に抑制できることから、通水溝路を所定の溝幅により安定かつ容易に形成することができる。
【発明の効果】
【００２３】
本発明の溝路構成装置によれば、上述したように、Ｕ字溝等のコンクリート製に比して軽量で運搬や施工時における取扱い性に優れることから、該運搬や施工の作業効率を大きく向上できる。また、水の流れを導くための勾配底部を、両側の垂直側板部間で下方開口する空隙を埋めるモルタル等と一体的に形成でき、加えて水平内縁部との接触面積を小さくできることから、該勾配底部に割れや破損等が生じることを可及的に抑制できる。これにより、勾配底部が高い耐久性を発揮し、溝路内の水流を安定的に維持することができる。さらに、壁際や窓際などに設ける通水溝路に好適に用いることができ、水平内縁部と水平外縁部とを固定手段を介して基盤に安定かつ堅固に位置決め固定できる。
【図面の簡単な説明】
【００２４】
【図１】実施例１の溝路構成装置１０を設置して、建造障害物５１の片側に近接する通水溝路１を設けた状態を示す横断面図である。
【図２】同上の溝路構成装置１０の外観斜視図である。
【図３】溝路構成装置１０の、（Ａ）平面図と（Ｂ）側板１１ａ側からの側面図である。
【図４】溝路構成装置１０の正面図である。
【図５】建造障害物５１の片側に溝路構成装置１０を配置した施工途中の状態を示す説明図である。
【図６】溝路構成装置１０により設けられた通水溝路１を示す縦断面図である。
【図７】実施例２の溝路構成装置６０の外観斜視図である。
【図８】実施例３の溝路構成装置７０の外観斜視図である。
【図９】実施例４の溝路構成装置８０の外観斜視図である。
【図１０】実施例５の溝路構成装置９０の外観斜視図である。
【図１１】従来の断面倒コ字形の溝路部材ｂを設置して、通水溝路ａを設けた状態を示す横断面図である。
【図１２】従来の断面倒コ字形の溝路部材ｂを設置して、建造障害物ｋの片側に近接する通水溝路ａを設けた状態を示す横断面図である。
【発明を実施するための形態】
【００２５】
本発明にかかる実施例１〜実施例５を、添付図面を用いて以下に説明する。
【実施例１】
【００２６】
図１のように、壁際、窓際（サッシ際）、敷地境界線等のように建造障害物５１の片側に近接する位置に、左右横幅が比較的狭い通水溝路１が設けられ、該通水溝路１に縦目グレーチング５が溝蓋として設置される。縦目グレーチング５は、その横幅が通水溝路１の溝幅とほぼ同じであり、所定個数が一列状に配されることによって該通水溝路１の上部開口を被覆する。
【００２７】
縦目グレーチング５は、図２のように、通水溝路１の長手方向に沿って所定間隔で並列された複数のメインバー６と、各メインバー６の長手方向の両端に差し渡された二本のサイドバー（図示せず）と、両サイドバー間に所定間隔で各メインバー６に直交状に差し渡されたクロスバー７とによって構成されるものである。
【００２８】
通水溝路１は、図１のように、上記した縦目グレーチング５を支持する溝路構成装置１０により形成される。溝路構成装置１０は、左右一対の側板１１ａ，１１ｂと、両側板１１ａ，１１ｂの上部に差し渡された複数の乗載梁１２とを備えてなる。
【００２９】
ここで、左右一対の側板１１ａ，１１ｂは、図１〜４のように、通水溝路１の左右両側で長手方向に沿って対向状に配設されるものであり、該通水溝路１の長手方向に沿った略長尺板状に夫々形成されている。そして、側板１１ａ，１１ｂは、通水溝路１の上端から基底まで垂直状に延成された略長方形状の垂直側板部１４を夫々備えている。これら左右の垂直側板部１４，１４によって、通水溝路１の左右の側壁が構成される（図１参照）。さらに、一方の側板１１ａは、その垂直側板部１４の下端から通水溝路１の内側に屈曲形成された水平内縁部１５を備えている。この水平内縁部１５は、垂直側板部１４の長手方向に亘って形成されており、垂直側板部１４の下端から直角状に屈曲されて、水平方向に延出されてなる。そして、水平内縁部１５は、その左右方向の横幅寸法が、通水溝路１の左右方向間隔よりも短い。具体的には、水平内縁部１５の横幅寸法が、通水溝路１の間隔に対して約１／３となっている。これにより、左右の側板１１ａ，１１ｂの下端間では、水平内縁部１５と他方の側板１１ｂ（垂直側板部１４）との間で比較的大きく下方開口している。また、他方の側板１１ｂは、その垂直側板部１４の下端から通水溝路１の外側に屈曲形成された水平外縁部１６を備えている。この水平外縁部１６は、通水溝路１に対して屈曲形成される方向が通水溝路１の外側となる以外は前記水平内縁部１５と寸法形状が同一である。すなわち、左右の側板１１ａ，１１ｂは、同一の寸法形状であり、所定間隔（通水溝路１の間隔）で並行に配される。
【００３０】
尚、こうした側板１１ａ，１１ｂは、長尺矩形状のスチール鋼の薄板から形成することができ、該薄板の一方の長辺に沿った端部を屈曲加工することによって形成できる。
【００３１】
さらに、側板１１ａ，１１ｂの上部には、長手方向で所定間隔をおいて複数の乗載梁１２が差し渡されている。乗載梁１２は、所定長さの角パイプにより構成されており、その外周をなす四面の一面が、水平方向に沿った上面となるように配設される。そして、この上面が、側板１１ａ，１１ｂの上端から、上記した縦目グレーチング５の厚みに略相当する高さ間隔をおいた下方に位置するように、乗載梁１２が側板１１ａ，１１ｂに差し渡されて固定される。側板１１ａ，１１ｂの各垂直側板部１４には、互いに対向する部位に、乗載梁１２の端部を嵌入する複数の嵌入口１８が板厚方向に貫通形成されている。そして、左右の垂直側板部１４の、互いに対向する嵌入口１８に、乗載梁１２の両端を夫々嵌入して垂直側板部１４と溶接することにより、該乗載梁１２が固定される。ここで、乗載梁１２は、その両端が垂直側板部１４の外面から突出しないように、嵌入口１８に嵌入されて溶接される。こうした乗載梁１２は、その長さ寸法が、左右の垂直側板部１４に固定された状態で、該垂直側板部１４の間隔が通水溝路１の間隔と等しくなるように設定されている。このように乗載梁１２が複数配設されることによって、左右の側板１１ａ，１１ｂと複数の乗載梁１２とからなる溝路構成装置１０が形成される。
【００３２】
尚、乗載梁１２は、スチール鋼製の角パイプにより構成されており、長尺の角パイプを前記した所定の長さ寸法に切断することにより形成される。
【００３３】
さらに、側板１１ａ，１１ｂの下端部には、その長手方向の両端部で、保持梁２１が差し渡されて固定される。左右の側板１１ａ，１１ｂを構成する垂直側板部１４には、その長手方向の両端部の下端に、板厚方向に貫通する貫通孔２２が夫々形成されている。左右の貫通孔２２は、互いに対向する位置に形成されており、前記した保持梁２１の端部を夫々嵌入する。そして、保持梁２１を嵌入した状態で、保持梁２１の下面が、水平内縁部１５および水平外縁部１６上に位置するように、貫通孔２２が形成されている。保持梁２１は、片方の端部を、側板１１ａの貫通孔２２に嵌入して水平内縁部１５に乗載すると共に、他方の端部を、側板１１ｂの内側から貫通孔２２を貫通させて水平外縁部１６に乗載した状態で、両端部を水平内縁部１５と水平外縁部１６とに夫々溶接する。これにより、保持梁２１が側板１１ａ，１１ｂに差し渡して固定される。こうした保持梁２１は、左右の側板１１ａ，１１ｂに固定された状態で、左右の垂直側板部１４を上記の乗載梁１２により決められた間隔で平行に保持するように、長さ寸法や固定位置などが定められている。このように側板１１ａ，１１ｂの長手方向の両端部に保持梁２１を配設することによって、左右の垂直側板部１４の間隔を、通水溝路１の間隔に安定して保つことができる。
【００３４】
尚、保持梁２１は、細長いスチール鋼製板材により構成されており、長尺の板材を所定長さ寸法に切断することにより形成される。
【００３５】
こうした溝路構成装置１０は、左右の側板１１ａ，１１ｂが長さ１０００ｍｍ、高さ２００ｍｍ、板厚３ｍｍ、水平内縁部１５および水平外縁部１６が左右方向幅３０ｍｍのものを適用し、側板１１ａ，１１ｂの間隔（通水溝路１の間隔）が１００ｍｍとする。そして、乗載梁１２が、一辺の長さ２５ｍｍのものを適用し、側板１１ａ，１１ｂの長さ方向に３００ｍｍの間隔で四個配設される。尚、側板１１ａ，１１ｂとしては、長さが２００ｍｍ〜２０００ｍｍ、高さが５０ｍｍ〜５００ｍｍ、板厚が１．５ｍｍ〜４．５ｍｍ、側板１１ａ，１１ｂの間隔が５０ｍｍ〜２００ｍｍ、水平内縁部１５および水平外縁部１６の幅が１０ｍｍ〜１００ｍｍのものを適用できる。ここで、水平内縁部１５および水平外縁部１６の左右方向幅（横幅）としては、通水溝路１の間隔に対して１／５〜１／２となるように設定したものが適用される。
【００３６】
次に、上記した本実施例１の溝路構成装置１０を用いて形成される通水溝路１について説明する。
上述したように建造障害物５１の片側に近接する通水溝路１は、溝路構成装置１０を地盤の所定深さ位置に一列状に埋設して構築される。ここで、溝路構成装置１０は、図１のように、建造障害物５１側に、水平内縁部１５を備えた側板１１ａが位置し、建造障害物５１と逆側に、水平外縁部１６を備えた側板１１ｂが位置するように配設される。
【００３７】
通水溝路１を形成する建造障害物５１の片側には、図５のように、上記した溝路構成装置１０を埋め込む細長い予備溝４１が形成され、その溝底をコンクリート等により整地してコンクリート基盤３１が設けられる。そして、コンクリート基盤３１上に、所定の嵩上げ部材３２を配して、溝路構成装置１０を設置する深さ位置を調整する。この嵩上げ部材３２により決まる深さ位置が、通水溝路１の基底位置を示す。こうして設置された嵩上げ部材３２に、水平内縁部１５および水平外縁部１６を乗載するようにして、溝路構成装置１０を配置される。これにより、溝路構成装置１０は、その上端位置が地面と略等しくなる深さ位置（基底の位置）に配置される。次に、水平内縁部１５と水平外縁部１６とに夫々形成された複数の挿通孔２５を介して、所定のアンカーボルト３５をコンクリート基盤３１に夫々打ち込むことにより、溝路構成装置１０をコンクリート基盤３１に位置決め固定する。
【００３８】
ここで、図１２のように、従来構成の断面倒コ字形の溝路部材ｂにより、上述と同様に建造障害物ｋの片側に近接する通水溝路ａを構築する場合には、該建造障害物ｋと溝路部材ｂとの隙間が狭いことから、該隙間を介した作業を行うことができず、建造障害物ｋ側のアンカー部ｆを介して基盤ｈにアンカーボルトｇを打ち込むことができない。これは、アンカーボルトｇの打ち込み作業に用いる所定の電動工具を、建造障害物ｋと溝路部材ｂとの隙間に進入させることができないためである。そのため、建造障害物ｋと逆側のアンカー部ｆを介したアンカーボルトｇのみで基盤ｈに位置固定しなければならず、左右両側を固定する場合（図１１参照）に比して、固定強さが低下する。また、従来構成の溝路部材ｂでは、建造障害物ｋと通水溝路ａとの間に該アンカー部ｆを埋設するための間隔を要することから、該通水溝路ａを建造障害物ｋにこれ以上近接させることができないという問題もある。
こうした従来構成に対して、本実施例１の溝路構成装置１０は、図１，５のように建造障害物５１側に水平内縁部１５を配するようにしていることから、水平内縁部１５を介してアンカーボルト３５をコンクリート基盤３１に打ち込む作業を容易かつ確実に行うことができる。これは、アンカーボルト３５の打ち込み作業に用いる所定の電動工具を水平内縁部１５の直上まで進入するスペースを、左右の側板１１ａ，１１ｂの間で確保できるためである。一方、水平外縁部１６は、建造障害物５１と逆側に配されることから、電動工具の進入スペースを容易に確保でき、アンカーボルト３５の打ち込み作業にも問題を生じない。また、本実施例１の溝路構成装置１０によれば、上記の従来構成（図１２参照）に比して、建造障害物５１に可及的に近接した通水溝路１を構築できる。
【００３９】
尚、本実施例１の構成にあっても、仮に、建造障害物５１側に水平外縁部１６が配された場合には、上述した従来構成と同様に、該建造障害物５１との隙間に前記電動工具を進入できないことから、水平外縁部１６を介してアンカーボルト３５を打ち込むことができない。これは、仮に、左右の側板の両方に水平外縁部を設けた構成とした場合にも、同様に生じる問題である。こうした問題は、建造障害物に近接する通水溝路を形成する場合に共通することから、アンカーボルトによる固定以外にも、コンクリート釘（ビス）の打ち込み作業、コンクリート基盤上に配設した鉄筋との溶接作業などを行う場合にも同様に生じ得る。いずれにせよ、本実施例１の構成によれば、建造障害物５１側に水平内縁部１５を配することにより、上述したように固定作業を容易かつ確実に行い得ることから、前記の問題を解決できる。
【００４０】
また、コンクリート基盤３１には、位置決めした溝路構成装置１０の各挿通孔２５直下に、下穴４２を夫々形成する。これにより、アンカーボルト３５を比較的容易に打ち込むことができる。こうした下穴４２についても、所定の電動工具による作業を必要とすることから、上述したように該電動工具の進入スペースが確保できることによって容易に形成できる。
【００４１】
こうして溝路構成装置１０を位置決め固定すると、該溝路構成装置１０の外側からモルタルを流し込んでいき、図１のように、溝路構成装置１０を埋設する。この際に、溝路構成装置１０とコンクリート基盤３１との間にもモルタルを流し込むことにより、側板１１ａの水平内縁部１５と側板１１ｂの下端との間で大きく下方開口する空隙２４（図５参照）がモルタルにより埋まる。さらに、左右の側板１１ａ，１１ｂ間にも、左右の垂直側板部１４の下端部を埋めるようにモルタルを流し込み、長手方向の一方向へ傾斜する勾配底部３９を形成する。勾配底部３９は、所定場所に設けられた排水管（図示せず）に向かって水流を生じ易くするものであり、図６のように、比較的緩やかな勾配に設定されている。こうした勾配底部３９は、左右の垂直側板部１４間に位置する水平内縁部１５の上側に形成され、該水平内縁部１５が埋め込まれた状態で形成される。ここで、勾配底部３９は、側板１１ａの水平内縁部１５と側板１１ｂの下端との間で下方開口する空隙２４（図２，５参照）を介して、溝路構成装置１０とコンクリート基盤３１との間に流し込まれたモルタルにより一体的に形成される。そして、側板１１ａの水平内縁部１５と側板１１ｂの下端との間隔は、該水平内縁部１５の横幅に比して広く（約２倍）、前記下方開口する空隙２４が大きいことから、勾配底部３９が、水平内縁部１５の上側で安定的にしっかりしたものに形成される。さらに、モルタルと金属（スチール鋼）との接着性は低いものの、水平内縁部１５の横幅が狭いことから、勾配底部３９の形成に対する影響も少ない。こうしたことから、モルタルと金属との境界で発生が懸念される割れ等を、可及的に抑制することができ、該割れ等により生じた破片が通水溝路１の水流を妨害したり、通水溝路１の先に設けられた排水管が詰まってしまうことなどを抑制することができる。すなわち、上述した従来の、断面倒コ字形の金属製溝路部材により通水溝路を形成する構成では、モルタルにより勾配底部を形成した場合に、溝路部材との境界で勾配底部に割れ等が発生し易いという問題が生じるが、本実施例１では、こうした問題の発生を可及的に抑制することができる。
【００４２】
上述したように、溝路構成装置１０を埋め込んで形成した通水溝路１は、その左右の側壁が、該溝路構成装置１０を構成する左右の垂直側板部１４によって形成される。そして、溝路構成装置１０の乗載梁１２によって、上記した縦目グレーチング５を支承し、該縦目グレーチング５を図示しないロック手段により溝路構成装置１０に固定することにより、通水溝路１の上部開口を被覆して、施工を完了する（図１参照）。
【００４３】
本実施例１の溝路構成装置１０は、スチール鋼製の側板１１ａ，１１ｂと乗載梁１２とにより構成したものであり、上記したコンクリート製のＵ字溝に比して軽量であることから、該Ｕ字溝により通水溝路を形成する従来構成に比して、運搬や施工時における取扱い性に優れる。また、型枠を用いてコンクリート製の通水溝路を形成する従来構成に比して、型枠の設置や取り外し作業などを必要としないことから、施工作業の作業性を向上できる。さらに、Ｕ字溝により通水溝路を形成する従来構成や、型枠を用いてコンクリート製の通水溝路を形成する従来構成では、溝蓋（グレーチング）を支持する支持枠を別に配設する必要があることに対して、本実施例１の構成では、溝路構成装置１０が縦目グレーチング５を支承する機能を備えていることから、前記支持枠にかかる作業を削減できる。このように本実施例１の構成によれば、運搬作業や施工作業の作業性を向上することができ、これら作業に要するコストと時間とを削減することができる。
【００４４】
また、上述したように、本実施例１の溝路構成装置１０によれば、モルタル等による勾配底部３９を容易かつ堅固に形成でき、該勾配底部３９に割れや破損等が生じることを抑制できる。これにより、勾配底部３９により生じさせる溝路内の水流を比較的長期に亘って安定的に維持することができる。また、本実施例１の構成は、窓際、サッシ際、敷地境界線際等のように建造障害物５１の片側に近接する場所に通水溝路１を形成する場合に好適に用いることができ、上述したように、該建造障害物５１と通水溝路１との隙間が極めて狭い場合にも、水平内縁部１５および水平外縁部１６を介して安定かつ堅固に位置決め固定することができる。さらに、本実施例１の溝路構成装置１０は、側板１１ａの垂直側板部１４が垂直状に形成され、水平内縁部１５を備えた側板１１ａの垂直側板部１４によって、その建造障害物５１側の最外位置が規定される。そのため、建造障害物５１に可及的に近接した位置に溝路構成装置１０を設置して、通水溝路１を形成することができる。これは、建造障害物５１と通水溝路１との間隙に制限を設ける必要がないことを意味し、通水溝路１の設置自由度を向上できるという優れた利点を有する。
【００４５】
尚、本実施例１の構成にあって、縦目グレーチング５により本発明にかかる溝蓋が構成されている。また、コンクリート基盤３１により、本発明の基盤が構成される。また、水平内縁部１５と水平外縁部１６とをコンクリート基盤３１に固定するアンカーボルト３５によって、本発明にかかる固定手段が実現されている。
【実施例２】
【００４６】
実施例２の溝路構成装置６０は、図７のように、一方の側板６１ａが、垂直側板部１４の下端から長手方向で所定間隔をおいて突設された複数（三個）の水平内縁部６５を備え、他方の側板６１ｂが、垂直側板部１４の下端から長手方向で所定間隔をおいて突設された複数（三個）の水平外縁部６６を備えたものである。各水平内縁部６５と各水平外縁部６６とは、長手方向で、互いに対向する位置に夫々設けられている。そして、各水平内縁部６５および水平外縁部６６には、挿通孔２５が夫々形成されている。
【００４７】
ここで、水平内縁部６５は、略矩形板状に形成されており、その左右方向の横幅が左右の垂直側板部１４，１４の間隔よりも短く、該間隔に対して約１／３としている。そして、水平内縁部６５は、長手方向で複数突設されていることから、その長手方向の幅が、垂直側板部１４より相当に短い。この水平内縁部６５が複数設けられたことにより、左右の側板６１ａ，６１ｂ間に比較的大きく下方開口する空隙６４が存在する。また、本実施例２にあっては、水平外縁部６６は、水平内縁部６５と同じ寸法形状に形成されている。
【００４８】
こうした水平内縁部６５および水平外縁部６６は、矩形状のスチール鋼の薄板を垂直側板部１４の下端に、溶接等により接合することにより形成することができる。または、長尺矩形状のスチール鋼の薄板から形成することもでき、例えば、該薄板の下辺に矩形状に突出する部位を形成し、該部位を屈曲加工することによって形成できる。
【００４９】
また、本実施例２には、左右の垂直側板部１４，１４の下端部に、その長手方向の両端部で保持梁６８が差し渡されて固定されている。ここで、左右の垂直側板部１４，１４には、その下端部に、保持梁６８を嵌合する凹部６９が夫々形成されている。左右の凹部６９は互いに対向する位置に形成されており、保持梁６８の両端部が夫々嵌合される。そして、嵌合された状態で、保持梁６８の両端部が左右の垂直側板部１４と夫々溶接される。この保持梁６８は、上述した実施例１と同様に、左右の垂直側板部１４，１４の間隔を、通水溝路１の間隔に保つ。
【００５０】
尚、本実施例２の構成にあって、複数の水平内縁部６５と水平外縁部６６とを長手方向で夫々複数設けたこと、および保持梁６８の構成が異なること以外は、上述した実施例１と同様であることから、同じ構成要素には同じ符号を記し、その説明を省略している。また、実施例１と同じ通水溝路１を形成する場合には、水平内縁部６５および水平外縁部６６は、その横幅が３０ｍｍ、長手方向の幅が６０ｍｍとしている。尚、水平内縁部６５および水平外縁部６６は、その横幅が通水溝路１の間隔に対して１／５〜１／２に設定でき、その長手方向の幅および設置個数は適宜設定可能である。
【００５１】
実施例２の溝路構成装置６０にあっても、上述した実施例１と同様に、建造障害物５１の片側に近接する通水溝路１を構築できる。ここで、建造障害物５１側に、水平内縁部６５を備えた側板６１ａが位置し、建造障害物５１と逆側に、水平外縁部６６を備えた側板６１ｂが位置するように配設される（図示せず）。そして、各水平内縁部６５および各水平外縁部６６をアンカーボルト３５によってコンクリート基盤３１に夫々打ち込むことによって、溝路構成装置６０が該コンクリート基盤３１に位置決め固定される（図示せず）。本実施例２の溝路構成装置６０によれば、上述した実施例１と同様に、各水平内縁部６５を介してアンカーボルト３５をコンクリート基盤３１に打ち込む作業を容易かつ確実に行うことができる。
【００５２】
さらに、上述した実施例１と同様に、位置決め固定した溝路構成装置６０をモルタルにより埋設し、両側の側板６１ａ，６１ｂ間で下方開口する空隙６４を埋めて、勾配底部を形成する。この勾配底部は、比較的広く下方開口する空隙６４を介してコンクリート基盤上に埋め込まれたモルタルと一体的かつ堅固に形成される。ここで、本実施例２の溝路構成装置６０は、左右方向の横幅が短い水平内縁部６５が複数設けられたものであることから、両側の側板６１ａ，６１ｂ間で下方開口する空隙６４が上述した実施例１よりも大きくなっている。そして、各水平内縁部６５と勾配底部（モルタル）との接触面積も、上述した実施例１に比して小さくなる。こうしたことから、モルタルと金属との境界で発生が懸念される割れや破損等を、可及的に抑制することができる。
【００５３】
また、本実施例２の溝路構成装置６０は、実施例１と同様に、スチール鋼製であることから、コンクリート製のＵ字溝に比して、運搬や施工時における取り扱い性に優れると共に、溝枠を支持するための支持枠を必要としない。そのため、従来構成に比して、本実施例２の構成は、運搬作業や施工作業の作業性を向上できる。
【００５４】
このように、本実施例２の溝路構成装置６０は、上述した実施例１と同様の作用効果を奏するものである。
【実施例３】
【００５５】
実施例３の溝路構成装置７０は、図８のように、左右の垂直側板部１４，１４の下端部に断面Ｌ字形のアングル７３が夫々に複数配設され、該アングル７３の水平方向に突出する部位により、水平内縁部７５または水平外縁部７６が構成されている。そして、一方の側板７１ａには、垂直側板部１４の下端部に複数配設されたアングル７３によって水平内縁部７５が長手方向で複数形成され、他方向の側板７１ｂには、垂直側板部１４の下端部に複数配設されたアングル７３によって水平外縁部７６が長手方向で複数形成されている。ここで、水平内縁部７５と水平外縁部７６とは、上述した実施例２と同様の寸法形状となるように形成されている。これにより、左右の側板７１ａ，７１ｂで下方開口する空隙７４が、実施例２と同様に広くなっている。また、アングル７３は、スチール鋼またはステンレス鋼からなり、各垂直側板部１４，１４に夫々溶接されている。
【００５６】
尚、本実施例３の構成にあって、垂直側板部１４の下端部に複数配設したアングル７３によって水平内縁部７５または水平外縁部７６を構成するようにした以外は、上述した実施例２と同じ構成であり、同じ構成要素には同じ符号を記し、その説明を省略している。また、実施例１と同じ通水溝路１を形成する場合には、水平内縁部７５および水平外縁部７６の横幅が３０ｍｍ、長手方向の幅が６０ｍｍとなるように、アングル７３の寸法形状が設定されている。そして、本実施例３では、アングル７３が、各垂直側板部１４の長手方向に夫々三個設けられている。
【００５７】
実施例３の溝路構成装置７０にあっても、上述した実施例１，２と同様に、建造障害物５１の片側に近接する通水溝路１を構築できる。また、上記した下方開口する空隙７４を介して勾配底部を形成し、該勾配底部で発生が懸念される割れや破損等を、可及的に抑制することができる。さらに、従来構成に比して、運搬作業や施工作業の作業性を向上できる。このように本実施例３の構成によれば、上述した実施例１，２と同様の作用効果を奏し得る。
【実施例４】
【００５８】
実施例４の溝路構成装置８０は、図９のように、一方の側板８１ａの垂直側板部１４の下端に、細幅状突縁部８３が長手方向に沿って複数突設され、各細幅状突縁部８３の先端部が、他方の側板８１ｂの垂直側板部１４から外側に突出するように設けられている。一方の側板８１ａに設けられた各細幅状突縁部８３は、左右の垂直側板部１４，１４間を横断し、他方の側板８１ｂの垂直側板部１４から外側に突出する長さに設定されている。こうした各細幅状突縁部８３は、左右の垂直側板部１４，１４間の部位により水平内縁部８５を構成し、他方の側板８１ｂの垂直側板部１４から突出する先端部により水平外縁部８６を構成する。これにより、細幅状突縁部８３の配設個数に応じて、長手方向で水平内縁部８５と水平外縁部８６とが複数個設けられる。尚、細幅状突縁部８３は、スチール鋼またはステンレス鋼等の矩形状薄板により構成されている。
【００５９】
ここで、左右の垂直側板部１４，１４には、その下端に、細幅状突縁部（矩形状薄板）８３を嵌合する凹部８９が長手方向に複数形成されており、左右で互いに対向する位置に各凹部８９が形成されている。一方の側板８１ａを構成する垂直側板部１４には、各凹部８９に、細幅状突縁部（矩形状薄板）８３の一端が嵌合されて溶接されている。そして、各細幅状突縁部（矩形状薄板）８３の先端寄り部位が、他方の側板８１ｂを構成する垂直側板部１４の凹部８９に嵌合されて溶接されており、各細幅状突縁部（矩形状薄板）８３の先端部が該垂直側板部１４の外側に突出する。
【００６０】
このように配設される細幅状突縁部８３は、その長手方向の幅が、垂直側板部１４の長さ寸法に比して相当に細い寸法である。そのため、左右の側板８１ａ，８１ｂ間で下方開口する空隙８４が比較的大きくなる。尚、本実施例４では、三個の細幅状突縁部８３が設けられていることから、前記空隙８４が複数に分かれている。
【００６１】
また、本実施例４の構成では、上述した実施例１〜３と異なり、左右の側板８１ａ，８１ａの下部に保持梁を備えていない。これは、上記の細幅状突縁部８３が、左右の垂直側板部１４，１４の下端に溶接されていることから、保持梁と同じ効果を発揮できるためである。
【００６２】
尚、本実施例４の構成にあって、左右の垂直側板部１４を横断する細幅状突縁部８３によって水平内縁部８５および水平外縁部８６を構成するようにした以外は、上述した実施例２と同様の構成であることから、同じ構成要素には同じ符号を記し、その説明を省略している。また、実施例１と同じ通水溝路１を形成する場合には、水平内縁部８５は、その横幅が１００ｍｍ、長手方向の幅が６０ｍｍとし、水平外縁部８６は、その横幅が３０ｍｍ、長手方向の幅が６０ｍｍとしている。
【００６３】
実施例４の溝路構成装置８０にあっても、上述した実施例１〜３と同様に、建造障害物５１の片側に近接する通水溝路１を構築できる。また、上記した下方開口する空隙８４を介して勾配底部を形成することにより、該勾配底部を堅固に形成できると共に、モルタルと金属（水平内縁部８５）との接触面積も小さい。これにより、勾配底部で発生が懸念される割れや破損等を、可及的に抑制することができる。さらに、従来構成に比して、運搬作業や施工作業の作業性を向上できる。このように本実施例４の構成によれば、上述した実施例１〜３と同様の作用効果を奏し得る。
【００６４】
また、本実施例４では、左右の垂直側板部１４，１４の下端部に設けた凹部８９に細幅状突縁部（矩形状薄板）８３が溶接された構成であるが、これ以外の構成として、該凹部８９を設けずに、左右の垂直側板部１４，１４の下端に細幅状突縁部（矩形状薄板）８３を当接して溶接するようにしても良い。
【実施例５】
【００６５】
実施例５の溝路構成装置９０は、図１０のように、一方の側板部９１ａが、その垂直側板部１４の下端から他方の垂直側板部１４まで突出する水平内縁部９５を長手方向で複数備えている。一方の垂直側板部１４から突設された各水平内縁部９５は、その先端部が他方の側板部９１ｂの垂直側板部１４に接合されていても良いし、接合されていなくとも良い。水平内縁部９５は、細幅矩形状の薄板により形成されており、該薄板の一端が、側板部９１ａの垂直側板部１４の下端に設けられた凹部９９に嵌合されて溶接されてなる。
【００６６】
他方の側板部９１ｂには、その垂直側板部１４の下端部に、断面Ｌ字形のアングル７３が長手方向で複数配設されており、該アングル７３により水平外縁部９６が構成されている。こうした水平外縁部９６は、長手方向で、上記水平内縁部９５と対向する位置に設けられる。
【００６７】
こうした溝路構成装置９０は、その水平内縁部９５が、細幅矩形状の薄板から形成され、該薄板の長手方向の幅が垂直側板部１４の長さ寸法に比して相当に細い寸法である。そのため、左右の側板９１ａ，９１ｂ間で下方開口する空隙９４が比較的大きくなる。尚、本実施例５では、三個の水平内縁部９５が設けられていることから、前記空隙９４が二つに分かれている。
【００６８】
また、本実施例５の構成にあっては、上述した実施例４と同様に、保持梁を備えず、上記の水平内縁部９５により保持梁の効果が発揮され得る。
【００６９】
尚、本実施例５の構成にあって、水平内縁部９５が細幅矩形状の薄板から形成されている以外は、上述した実施例３と同様の構成であることから、同じ構成要素には同じ符号を記し、その説明を省略している。また、実施例１と同じ通水溝路１を形成する場合には、水平内縁部９５は、その横幅が１００ｍｍ、長手方向の幅が６０ｍｍとしている。そして、水平外縁部９６の横幅が３０ｍｍ、長手方向の幅が６０ｍｍとなるように、アングル７３の寸法形状が設定されている。
【００７０】
実施例５の溝路構成装置９０にあっても、上述した実施例１〜４と同様に、建造障害物５１の片側に近接する通水溝路１を構築できる。また、上記した下方開口する空隙９４を介して勾配底部を形成することにより、該勾配底部を堅固に形成できると共に、モルタルと金属（水平内縁部９５）との接触面積も小さい。これにより、勾配底部で発生が懸念される割れや破損等を、可及的に抑制することができる。さらに、従来構成に比して、運搬作業や施工作業の作業性を向上できる。このように本実施例５の構成によれば、上述した実施例１〜４と同様の作用効果を奏し得る。
【００７１】
本発明にあっては、上述した実施例に限定されるものではなく、上述の実施例以外の構成についても本発明の趣旨の範囲内で適宜変更して実施可能である。
【符号の説明】
【００７２】
１  通水溝路
５  縦目グレーチング（溝蓋）
１０，６０，７０，８０，９０  溝路構成装置
１１ａ，１１ｂ，６１ａ，６１ｂ，７１ａ，７１ｂ，８１ａ，８１ｂ，９１ａ，９１ｂ  側板
１２  乗載梁
１４  垂直側板部
１５，６５，７５，８５，９５  水平内縁部
１６，６６，７６，８６，９６  水平外縁部
２１，６８  保持梁
３１  コンクリート基盤（基盤）
３５  アンカーボルト（固定手段）
８３  細幅状突縁部
【図１】
2015063833.tif 000003
【図２】
2015063833.tif 000004
【図３】
2015063833.tif 000005
【図４】
2015063833.tif 000006
【図５】
2015063833.tif 000007
【図６】
2015063833.tif 000008
【図７】
2015063833.tif 000009
【図８】
2015063833.tif 000010
【図９】
2015063833.tif 000011
【図１０】
2015063833.tif 000012
【図１１】
2015063833.tif 000013
【図１２】
2015063833.tif 000014